(57)【要約】【課題】習慣的に行動する領域に敷設でき、敷設したマットの上を歩行することにより足の裏の壷を刺激し、健康を増進できること。【解決手段】所定の大きさの板状の基板３と、当該板状の基板３の上面に所定の間隔で複数形成され、かつ、上端部が丸みを有し、弾性体からなる突起部３ａを具備し、突起部３ａを足で踏むことによって足の壷を刺激し、足の血行を良くし、健康を増進する。また、突起３ａは上端部が丸みを帯びており、弾性体からなるので素足で踏んでも怪我をしたり、痛みを与えることがない。そして、靴下を履いていても、その繊維が突起３ａに引っかかることがない。【選択図】　　図２
2004033502.tif 000002
【特許請求の範囲】
【請求項１】
所定の大きさの板状の基板と、
当該板状の基板の上面に所定の間隔で複数形成され、かつ、上端部が丸みを有し、弾性体からなる突起部と
を具備することを特徴とする健康マット。
【請求項２】
所定の大きさの板状の基板と、
当該板状の基板の上面に所定の間隔で複数形成され、かつ、上端部が丸みを有し、弾性体からなる突起部と、
前記基板の下面に形成され、床面との滑りを防止する滑り止め部と
を具備することを特徴とする健康マット。
【請求項３】
前記所定の大きさの板状の基板は、一方向（Ｘ軸方向）または二方向（Ｘ軸及びＹ軸方向）に連結自在な接続部を具備することを特徴とする請求項１または請求項２に記載の健康マット。
【請求項４】
前記一方向（Ｘ軸方向）または二方向（Ｘ軸及びＹ軸方向）に連結自在な接続部は、前記板状の基板に雌雄の接続部を設けたことを特徴とする請求項１乃至請求項３のいずれか１つに記載の健康マット。
【請求項５】
前記一方向（Ｘ軸方向）または二方向（Ｘ軸及びＹ軸方向）に連結自在な接続部は、他の部品によって前記板状の基板に接続自在としたことを特徴とする請求項１乃至請求項３のいずれか１つに記載の健康マット。
【請求項６】
前記所定の大きさの板状の基板には、前記突起部に対応した複数個の切込孔を有し、前記基板の前記突起部に挿入自在な汚れ防止シートを具備することを特徴とする請求項１乃至請求項５に記載の健康マット。
【発明の詳細な説明】
【０００１】
【発明の属する技術分野】
本発明は、足で踏むことで、足の裏の壷を刺激して血行を良くすることにより、健康を増進する健康マットに関するもので、例えば、台所の流し台の前、洗面所、お手洗い、作業所等に敷くマットとして利用することができる。
【０００２】
【従来の技術】
従来、健康マットに関連する先行技術としては、実開平５−４９０４号公報（中敷）、実用新案登録第３０６７４７９号公報（健康サンダル）、特開２００１−２５８６０２（健康サンダル）がある。
【０００３】
これらのものでは、何れもサンダルに突起を設けることで、足の裏を刺激し、もって足の血行を良くし、健康を増進する技術が示されている。
【０００４】
【発明が解決しようとする課題】
ところで、前述の公知技術は、全てサンダルに適用したものであるから、そのサンダルを履かないときには、健康を増進することができなかった。即ち、屋内では限られた領域でしか、この健康サンダルを使用することができなかった。また、和室の多い日本家屋では、部屋間で健康サンダルを脱がなくてはならない場合もあり、履き替えが煩わしかった。また、屋外に出て当該健康サンダルを履くと、汚れの始末に手間がかかり、実用的でなかった。
【０００５】
そこで、この発明はかかる不具合を解決するためになされたもので、習慣的に行動する領域に敷設でき、敷設したマットの上を歩行することにより足の裏の壷を刺激し、健康を増進する健康マットの提供を課題とするものである。
【０００６】
【課題を解決するための手段】
請求項１の健康マットによれば、所定の大きさの板状の基板と、当該板状の基板の上面に所定の間隔で複数形成され、かつ、上端部が丸みを有し、弾性体からなる突起部を具備している。
【０００７】
このような構成により、複数の突起部を足で踏みながら台所仕事等をすることで、足の裏の壷を刺激し、もって足の血行を良くし、健康を増進する。また、前記突起は、上端部が丸みを帯びており、弾性体からなるので、素足で踏んでも怪我をしたり、痛みを与えることがない。そして、上端部が丸みを帯びているので、靴下を履いていても、その繊維が引っかかることがない。故に、通常の行動範囲に健康マットを敷き、その敷いた健康マットの上を歩くことにより、何かをしながら、足の裏の壷を刺激し、健康を増進できる。また、和室に敷いても、来客があるとき等必要に応じて移動させることができ、かつ、畳を傷めることがない。
【０００８】
ここで、基板は、所定の厚みで、かつ、所定の規格化した厚み、大きさ（面積）とすることができる。弾性体からなる突起部は、円柱、三角柱、四角柱等の柱状で上端部が自由端となり、その自由端が丸みをおびるように仕上げられている。その基部は、基板に固着または一体に形成してもよい。
【０００９】
請求項２の健康マットによれば、所定の大きさの板状の基板と、当該板状の基板の上面に所定の間隔で複数形成され、かつ、上端部が丸みを有し、弾性体からなる突起部と、前記基板の下面に形成され、床面との滑りを防止する滑り止め部とを具備している。
【００１０】
このため、前記マットの上を歩行しても、急激な移動変化を伴っても、マットがずれることなく、複数の突起部を足で踏みながら移動できることで、特別の運動の用意をしなくても、足の裏の壷を刺激し、もって足の血行を良くし、健康を増進することができる。ここで、滑り止め部は、接触抵抗の高いゴム材、合成樹脂またはエラストマー等で形成することができる。
【００１１】
請求項３の健康マットによれば、前記所定の大きさの板状の基板は、一方向（Ｘ軸方向）または二方向（Ｘ軸及びＹ軸方向）に連結自在な接続部を具備しているから、必要に応じ前記板状の基板を自在に連結して、使用に適した大きさに敷設できる。ここで、接続部は、基部相互間に相対移動できないように接続できる構成であればよい。
【００１２】
請求項４の健康マットによれば、前記一方向（Ｘ軸方向）または二方向（Ｘ軸及びＹ軸方向）に連結自在な接続部は、前記基板に雌雄の接続部を設けて形成されているから、前記基板に雌雄の接続部で、必要に応じ前記基板を連結させて、使用する目的に合わせた適当な大きさに調節できる。しかも、前記基板に雌雄の接続部を有するので、他の部品を購入することなく、必要に応じて接続することができる。この雌雄の接続部は、前記基板単体の辺に１個以上配設することができる。
【００１３】
請求項５の健康マットによれば、前記一方向（Ｘ軸方向）または二方向（Ｘ軸及びＹ軸方向）に連結自在な接続部は、他の部品によって前記基板に接続自在な構造となっている。このため、前記基板に接続部で、必要に応じ前記基板を連結させて、使用する目的に合わせた大きさにすることができる。しかも、前記基板に雌雄の接続部を有していないので、接続端部の見栄えがよい。この基板の接続部は、他の部品によって前記基板の裏面を使用して接続する構造とすることができる。
【００１４】
請求項６の健康マットによれば、前記所定の大きさの板状の基板には、前記突起部に対応した複数個の切込孔を有し、前記基板の前記突起部に挿入自在な汚れ防止シートを具備している。
【００１５】
このため、前記健康マットの突起部側に汚れ防止シートを装着しておけば、汚れ防止シートの表面が汚れても、前記突起部に対応する複数個の切込孔を利用して挿入されている汚れ防止シートを交換するのみで、前記健康マットを常に綺麗に保つことができる。この汚れ防止シートは、和紙、洋紙、生分解合成樹脂等のシートで形成することができる。突起部に対応する複数個の切込孔は、突起部の断面形状に形成しても良いし、単に十字状に切り欠きを入れるだけでも良い。
【００１６】
【発明の実施の形態】
以下、本発明を実施の形態に基づいて説明する。
【００１７】
〈実施の形態１〉
図１は本発明の実施の形態１にかかる全体構成を示す平面図である。図２（ａ）は本発明の実施の形態１にかかる健康マットの要部断面図、図２（ｂ）は本発明の実施の形態１にかかる健康マットの要部斜視図である。
【００１８】
図１において、健康マット１は、その上端部が、所定間隔で丸みを帯びた複数の弾性部材からなる突起部３ａを有する板状の基板３で構成されている。
【００１９】
板状の基板３は、所定の厚み、例えば、２〜１０ｍｍ程度、縦横５０〜５００ｍｍ程度の合成樹脂、合成ゴムまたは木材の合板等から形成されている。弾性部材からなる突起部３ａは、合成樹脂、合成ゴムから形成され、直径５〜２５ｍｍ程度の円柱状で上端部が自由端となり、丸みをおびるように仕上げられている。その基部は、板状の基板３に固着または一体に形成されている。突起部３ａは、直径５〜２５ｍｍ程度の円柱状に限定されるものではなく、自由端になる端部の形状以外は、三角柱、四角柱、四角形以上の多角形柱等とすることができる。しかし、突起部３ａと基板３は、合成樹脂または合成ゴムによって一体に成形するのがコスト的に好ましい。ここで、突起部３ａの弾性とは、突起部３ａに足を乗せたとき、足の裏がその圧力で変形し、指圧の効果を得ることができるものであるが、若干の変形を行わせることにより、踵のみではなく、足の裏の広い面積を刺激可能としている。しかし、柔らかい材料を用いると、指圧の効果が得られなくなるので、所定以上の硬い材料を使用することは当然である。
【００２０】
次に、上記構成に基く作用について説明する。
【００２１】
健康マット１は、複数の上端部が丸みを有した弾性部材からなる突起部３ａを具備しているので、足でその突起部３ａを踏むことによって、足の裏や足の壷を刺激し、もって足の血行を良くし、健康が増進される。
【００２２】
このように、本実施の形態の健康マット１は、所定の大きさの板状の基板３と、当該板状の基板３の上面に所定の間隔で複数形成され、かつ、上端部が丸みを有し、弾性体からなる突起部３ａとを具備し、突起部３ａを足で踏むことによって、足の壷を刺激し、足の血行を良くし、健康を増進することができる。また、突起３ａは、上端部が丸みを帯びており、弾性体からなるので、素足で踏んでも怪我をしたり、痛みを与えることがない。そして、靴下を履いていても、その繊維が突起３ａに引っかかることがない。
【００２３】
したがって、通常の行動範囲に健康マット１を敷き、その敷いた健康マット１の上を歩くことにより、足の裏の壷を刺激し、健康を増進できる。また、和室に敷いても、来客があるとき等必要に応じて移動させることができ、かつ、畳を傷めることがない。例えば、健康マット１を玄関先のマットとして使用すれば、玄関を出入りして、健康マット１の突起部３ａを踏む度に、足の裏や壷を刺激することになる。また、健康マット１をトレーニングルーム等で使用すると、他の健康器具による特定部分の健康増進の他に、足の裏や足の壷を同時に刺激し、健康増進に役立てることができる。健康マット１は家庭ばかりでなく、公共の健康・スポーツ施設、病院のリハビリ施設等で、容易に不特定多数の人の健康を増進することもできる。
【００２４】
即ち、従来の健康サンダルでは、個人別に使用する必要があり、各人数分だけ健康サンダルが必要になるが、この実施の形態の健康マット１を使用すれば、通常の生活のみで、健康を増進することができるという効果が得られる。
【００２５】
〈実施の形態２〉
図３は本発明の実施の形態２にかかる健康マットの要部断面図である。なお、図中、前記実施の形態１と同一または相当部分からなるものについては同一符号または同一記号を付し、その詳細な説明を省略する。
【００２６】
図３において、基板３の下面の一部または全面には、接触抵抗の高いゴム材、合成樹脂またはエラストマー等で形成された滑り防め部４が接着剤で接合または一体に二色成型されている。通常、基板３の下面に複数の線条または複数の所定の面状に、数ミリ厚で形成され、コストを廉価とし、かつ、荷重等の力が集中するように設定している。
【００２７】
次に、その作用について説明する。
【００２８】
このように基板３の下面に滑り止め部４を形成したものでは、この滑り止め部４により、健康マット１上を歩いても、或いは急激に移動しても、健康マット１が床面をスリップすることがない。
【００２９】
本実施の形態の健康マット１は、所定の大きさの基板３と、基板３の上面に所定の間隔で複数形成され、かつ、上端部が丸みを有し、弾性体からなる突起部３ａと、基板３の下面に形成された滑り止め部４を具備している。
【００３０】
即ち、実施の形態１と同様の作用効果を奏すると共に、健康マット１は、複数の上端部が丸みを有した弾性部材からなる突起部３ａを具備しているので、足でその突起部３ａを踏むことによって、足の裏や足の壷を刺激し、足の血行を良くし、健康が増進される。
【００３１】
また、滑り止め部４により、健康マット１上を歩いても、或いは急激に移動しても、健康マット１が床面をスリップすることがないから、安定した移動が可能となる。また、安全な歩行が可能となる。即ち、健康マット１は、必ずしも真上から足で踏まれるものではない。したがって、ベクトル的には水平方向の力を受けている。滑り止め部４を有していないと、横滑りを起こしかねない。また、横滑りによって、健康マット１自体が捲れあがり、その度に使用者が敷設し直すという面倒なことをしなくてはならないことになる。本実施の形態の健康マット１は、それらの問題を解消している。
【００３２】
ところで、本実施の形態では、基板３の下面に複数の線条または複数の所定の面状に、数ミリ厚で形成される旨説明したが、基板３自体の下面または全体を接触抵抗の高いゴム材、合成樹脂またはエラストマー等で形成してもよいが、コスト的、機械的に、二色成型等によって形成するのが好適である。
【００３３】
〈実施の形態３〉
図４は本発明の実施の形態３にかかる健康マットの要部詳細を示す図で、図４（ａ）は要部断面図、図４（ｂ）は汚れ防止シートを装着前の要部斜視図、図４（ｃ）は汚れ防止シートの要部平面図である。なお、図中、前記実施の形態１または実施の形態２と同一または相当部分からなるものについては同一符号または同一記号を付し、その詳細な説明を省略する。
【００３４】
図４において、基板３に設けられ足の壷を刺激する複数の突起部３ａに対応して、切込孔２ａを設けられた汚れ防止シート２が配設されている。汚れ防止シート２は、和紙、洋紙、生分解合成樹脂等のシートで形成することができる。突起部３ａに対応する複数個の切込孔２ａは、突起部３ａの断面形状に形成しても良いし、単に十字状に切り欠きを入れるだけでも良い。
【００３５】
次に、その作用についた説明する。
【００３６】
本実施の形態の健康マット１は、基板３の突起部３ａに対応する汚れ防止シート２に設けられた切込孔２ａを用いて、汚れ防止シート２が上から被せられ、装着されているので、汚れ防止シート２が汚れた場合、簡単に汚れ防止シート４を交換することで清潔感を保つことができる。例えば、健康マット１を台所等で使用しているうちに、その表面がゴミ・ほこり及び土等で汚れても、汚れ防止シート４を交換することで使用時に不快感を持つことがない。
【００３７】
このように、本実施の形態の健康マット１は、実施の形態１及び／または実施の形態２の作用効果に加えて、基板３の突起部３ａに対応した複数個の切込孔２ａを有し、基板３の突起部３ａに装着自在な汚れ防止シート２を具備しており、汚れ防止シート２の切込孔２ａに基板３の突起３ａを挿入することで簡単に交換することができる。即ち、健康マット１の汚れ防止シート２が汚れる都度、汚れ防止シート２を交換するだけで、常に綺麗で、清潔感を保つことができる。
【００３８】
〈実施の形態４〉
図５は本発明の実施の形態４にかかる健康マットの要部斜視図である。なお、図中、前記実施の形態１乃至実施の形態３と同一または相当部分からなるものについては同一符号または同一記号を付し、その詳細な説明を省略する。
【００３９】
図５において、基板３の一方の辺には、連結突部３１を、また、対向する辺には連結孔部３２を有しており、両者で接続部を構成している。連結突部３１は略鏃形状を有していて、連結孔部３２はその連結突部３１を上から嵌合させることにより、略鏃形状（かま継ぎ）の係合により、容易に水平方向に分離できない構造となっている。但し、上下方向により、容易に分離可能である。この連結突部３１と連結孔部３２との形状は、上下方向に分離及び組み付け可能で、水平方向に離脱困難な形状であればよい。好ましくは、複数枚の健康マット１の端部の辺の連結突部３１は、見栄えから、切断する必要があるから、その付け根は切断しやすい構造とするのが望ましい。
【００４０】
次に、その作用について説明する。
【００４１】
本実施の形態の健康マット１は、実施の形態１乃至実施の形態３の作用効果に加えて、一方の基板３に設けられた連結突部３１が、他方の基板３に設けられた連結孔部３２に上下方向に挿入されることで容易に結合される。即ち、健康マット１はそれを使用する場所等によって、適当な大きさにしたい場合が多々あるが、製造コストからみると、その種類を増やしたくない。そこで、基板３は規格品とし、必要に応じてこの規格品を連結組み合わせることによって、所望の広さの健康マット１とすることができる。
【００４２】
本実施の形態の健康マット１は、基板３の一方向（Ｘ軸方向）または二方向（Ｘ軸及びＹ軸方向）に連結自在な接続部として、連結突部３１と連結孔部３２とからなるものである。
【００４３】
したがって、一方の基板３の接続部である連結突部３１を、他方の基板３の接続部である連結孔部３２に挿入することで、容易に２枚の隣り合った基板３と基板３を連結させることができ、２つの基板３と基板３を連結させることで、使用状況に応じた健康マット１の大きさを簡単に得られる。
【００４４】
特に、板状の基板３を所定の厚み、例えば、２〜１０ｍｍ程度、縦横５０〜５００ｍｍ程度のうち、小面積のものは、その色彩を異にすることで、健康マット１をモザイク模様に形成することができる。
【００４５】
〈実施の形態５〉
図６は本発明の実施の形態５にかかる健康マットの要部斜視図である。なお、図中、前記実施の形態１乃至実施の形態３と同一または相当部分からなるものについては同一符号または同一記号を付し、その詳細な説明を省略する。
【００４６】
図６において、基板３の対向辺には、包みあり形のあり継ぎのあり条３１ａとあり溝３１ｂが各２辺に形成されている。即ち、基板３の接続部は、あり継ぎからなり、４辺に沿って雄型のあり条３１ａと雌型のあり溝３１ｂで構成されている。なお、本発明を実施する場合には、接続部はあり継ぎに限定されるものではなく、容易に連結が外れないものであれば良い。
【００４７】
次に、その作用について説明する。
【００４８】
上記のような構成において、隣り合わせの２つの基板３は、あり条３１ａを相手側のあり溝３１ｂに横方向から摺動して、挿入することによって連結される。
【００４９】
このように、本実施の形態の健康マット１は、実施の形態１乃至実施の形態３の作用効果に加えて、一方向（Ｘ軸方向）または二方向（Ｘ軸及びＹ軸方向）に連結自在な接続部は、あり条３１ａ及びあり溝３１ｂから構成された接続部を有しており、隣り合わせた２つの基板３は、一方の接続部のあり条３１ａと他方の接続部のあり溝３１ｂとを結合させている。したがって、容易に２枚以上の健康マット１をその基板３を用いて、必要に応じ連結すれば、基板３そのものは、大量生産された規格品を使用しながら、簡単に必要な広さ及び形状の健康マット１にすることがきる。
【００５０】
〈実施の形態６〉
図７は本発明の実施の形態６にかかる健康マットの要部正面図である。なお、図中、前記実施の形態１乃至実施の形態３と同一または相当部分からなるものについては同一符号または同一記号を付し、その詳細な説明を省略する。
【００５１】
図７において、基板３の４辺に沿って、その下面には滑り止め部４が形成されていない。基板３の滑り止め部４が形成されていない周囲には、各辺に必要数の嵌合孔３３を有している。また、接続補助部品４０は比較的強度に富む合成樹脂からなり、その一方の面には基板３の必要数の嵌合孔３３に対応して挿入杆４１を２列配設されている。
【００５２】
次に、その作用にて説明する。
【００５３】
このように、本実施の形態の健康マット１は、実施の形態１乃至実施の形態３の作用効果に加えて、２枚の基板３の必要数の嵌合孔３３には、接続補助部品４０の２列配設されている挿入杆４１を挿入する。このとき、挿入杆４１の外周は基板３の嵌合孔３３によって、容易に外れないような接触抵抗を有している。このように、一方向（Ｘ軸方向）または二方向（Ｘ軸及びＹ軸方向）に連結自在な接続部は、接続補助部品４０という他の部品によって基板３を自在に連結することができ、容易に必要な大きさの健康マット１にすることができる。
【００５４】
この実施の形態では、健康マット１の基板３の側面に接続部が形成されていないので、健康マット１の見栄えをよくすることができる。
【００５５】
〈実施の形態７〉
図８は本発明の実施の形態７にかかる健康マットの基板のみの要部斜視図である。なお、図中、前記実施の形態１乃至実施の形態３と同一または相当部分からなるものについては同一符号または同一記号を付し、その詳細な説明を省略する。
【００５６】
図８において、基板３としては、各辺に１以上の接続部としてひょうたん千切り、ちょう千切り、ハンマー千切り、かま千切り等の公知の接続手段が使用できる。図８は基板３にひょうたん千切りの嵌合孔３４を形成したものである。接続補助部品５０としては、比較的強度に富む合成樹脂、金属、木材からなり、その両端を基板３のひょうたん千切りの嵌合孔３４に嵌合して接続される端部５２及び連結部５１によって形成されている。この端部５２は、基板３の嵌合孔３４からの離脱を防止するものであるから、形状はこの略円盤状に限られるものではなく、他の離脱を防止できる形状であればよい。
【００５７】
このように、本実施の形態の健康マット１は、実施の形態１乃至実施の形態３の作用効果に加えて、２枚の基板３の必要数の嵌合孔３４には、接続補助部品５０の端部５２を挿入する。このとき、端部５２の外周は基板３の嵌合孔３４によって、容易に外れないような接触抵抗を有している。このように、一方向（Ｘ軸方向）または二方向（Ｘ軸及びＹ軸方向）に連結自在な接続部は、接続補助部品５０という他の部品によって基板３を自在に連結することができ、容易に必要な大きさの健康マット１にすることができる。
【００５８】
ところで、上記実施の形態では、基板３上の丸みを帯びた突起３ａは１種類の突起としたが、上記実施の形態にとらわれることなく、大小複数の種類の突起を用いてもよい。
【００５９】
また、基板３の連結方法として、実施の形態４乃至実施の形態例７のような具体的手段を示したが、本発明を実施する場合には、これに限定されるものではなく、容易に２つ以上の基板３を連結させるものであれば、その形にとらわれるものではない。
【００６０】
しかして、実施の形態４乃至実施の形態例７のような健康マット１を用いれば、結合により容易にマットの大きさを変えること、実施の形態例３のような滑り止め部４により滑りを防止すること、汚れ防止シート２の交換により常に綺麗で有効な健康マット１が得られる。これらは任意の組み合わせができる。
【００６１】
【発明の効果】
以上説明したように、請求項１の健康マットは、所定の大きさの板状の基板と、当該板状の基板の上面に所定の間隔で複数形成され、かつ、上端部が丸みを有し、弾性体からなる突起部を具備しているから、複数の突起部を足で踏みながら歩くことで、足の裏の壷を刺激し、足の血行を良くし、健康を増進する。また、前記突起は上端部が丸みを帯びており、弾性体からなるので、素足で踏んでも怪我をしたり、痛みを与えることがない。勿論、上端部が丸みを帯びているので、靴下を履いていても、その繊維が引っかかることがない。よって、習慣的に行動する領域に敷設でき、敷設した健康マットの上を歩行することにより足の裏の壷を刺激し、健康を増進できる。
【００６２】
請求項２の健康マットは、所定の大きさの板状の基板と、当該板状の基板の上面に所定の間隔で複数形成され、かつ、上端部が丸みを有し、弾性体からなる突起部と、前記基板の下面に形成され、床面との滑りを防止する滑り止め部とを具備しているから、前記マットの上を歩くとき、急激な移動変化を伴っても、マットがずれることなく、複数の突起部を足で踏みながら移動でき、足の裏の壷を刺激し、足の血行を良くし、健康を増進することができる。
【００６３】
したがって、習慣的に行動する領域に敷設でき、敷設したマットの上を歩行することにより足の裏の壷を刺激し、健康を増進できる。
【００６４】
請求項３の健康マットは、請求項１または請求項２の前記所定の大きさの板状の基板は、一方向（Ｘ軸方向）または二方向（Ｘ軸及びＹ軸方向）に連結自在な接続部を具備しているから、請求項１または請求項２に記載の効果に加えて、必要に応じ前記板状の基板を自在に連結して、使用に適した大きさに敷設できる。
【００６５】
請求項４の健康マットは、請求項１乃至請求項３のいずれか１つに記載の効果に加えて、前記一方向（Ｘ軸方向）または二方向（Ｘ軸及びＹ軸方向）に連結自在な接続部は、前記基板に雌雄の接続部を設けて形成されているから、前記基板に雌雄の接続部で、必要に応じ前記基板を連結させて、使用する目的に合わせた適当な大きさに設定できる。しかも、前記基板に雌雄の接続部を有するので、他の部品を購入することなく、必要に応じて接続することができる。
【００６６】
請求項５の健康マットは、請求項１乃至請求項３のいずれか１つに記載の効果に加えて、前記一方向（Ｘ軸方向）または二方向（Ｘ軸及びＹ軸方向）に連結自在な接続部は、他の部品によって前記基板に接続自在な構造となっている。このため、前記基板に接続部で、必要に応じ前記基板を連結させて、使用する目的に合わせた大きさにすることができる。しかも、前記基板に雌雄の接続部を有していないので、接続端部の見栄えがよい。
【００６７】
請求項６の健康マットによれば、請求項１乃至請求項５のいずれか１つに記載の効果に加えて、前記所定の大きさの板状の基板には、前記突起部に対応した複数個の切込孔を有し、前記基板の前記突起部に挿入自在な汚れ防止シートを具備するものであるから、前記健康マットの突起部側に汚れ防止シートを装着しておけば、汚れ防止シートの表面が汚れても、前記突起部に対応する複数個の切込孔を利用して挿入されている汚れ防止シートを交換するのみで、前記健康マットを常に綺麗に保つことができる。
【図面の簡単な説明】
【図１】図１は本発明の実施の形態１にかかる全体構成を示す平面図である。
【図２】図２（ａ）は本発明の実施の形態１にかかる健康マットの要部断面図、図２（ｂ）は本発明の実施の形態１にかかる健康マットの要部斜視図である。
【図３】図３は本発明の実施の形態２にかかる健康マットの要部断面図である。
【図４】図４は本発明の実施の形態３にかかる健康マットの要部詳細を示す図で、図４（ａ）は要部断面図、図４（ｂ）は汚れ防止シートを装着前の要部斜視図、図４（ｃ）は汚れ防止シートの要部平面図である。
【図５】図５は本発明の実施の形態４にかかる健康マットの要部斜視図である。
【図６】図６は本発明の実施の形態５にかかる健康マットの要部斜視図である。
【図７】図７は本発明の実施の形態６にかかる健康マットの要部正面図である。
【図８】図８は本発明の実施の形態７にかかる健康マットの基板のみの要部斜視図である。
【符号の説明】
１　　健康マット
２　　汚れ防止シート
２ａ　　切込孔
３　　基板
３ａ　　突起部
４　　滑り止め部
３１　　連結突部
３１ａ　あり条
３１ｂ　あり溝
３２　　連結孔部
３３　　嵌合孔
３４　　嵌合孔
４０，５０　　接続補助部品
４１　　挿入杆
５１　　連結部
５２　　端部
【図１】
2004033502.tif 000003
【図２】
2004033502.tif 000004
【図３】
2004033502.tif 000005
【図４】
2004033502.tif 000006
【図５】
2004033502.tif 000007
【図６】
2004033502.tif 000008
【図７】
2004033502.tif 000009
【図８】
2004033502.tif 000010